(57)【特許請求の範囲】
【請求項１】
端子に対する可撓係止ランスを有するコネクタハウジングと、該可撓係止ランスに対する撓み防止板を有して該コネクタハウジング内に挿入されるスペーサとで構成される二重係止コネクタにおいて、該コネクタハウジングに、スペーサに対する押し上げ用の傾斜面を有する傾斜ガイド部が形成され、該スペーサに、該傾斜ガイド部よりも下側に位置して該傾斜ガイド部に対する傾斜摺接部が形成され、該撓み防止板の先端に、該可撓係止ランスに対する押し下げ用の傾斜面が形成されたことを特徴とする二重係止コネクタ。
【請求項２】
前記コネクタハウジングの開口縁に、前記スペーサに対する上向き傾斜ガイド面が形成されたことを特徴とする請求項１記載の二重係止コネクタ。
【請求項３】
前記コネクタハウジングとスペーサとに、前記傾斜ガイド部と傾斜摺接部とを近接させた位置で仮係止させる仮係止手段が設けられたことを特徴とする請求項１又は２記載の二重係止コネクタ。
【発明の詳細な説明】
【０００１】
【産業上の利用分野】
本発明は、端子係止用のスペーサをコネクタハウジングに仮係止させた状態でコネクタハウジング内の係止ランスによる端子の係止を解除し得る二重係止コネクタに関するものである。
【０００２】
【従来の技術】
図１２〜１３は実開平４−７８７８０号に記載された従来の二重係止コネクタを示すものである。
この二重係止コネクタ３１は端子３２を収容するコネクタハウジング３３と、該コネクタハウジング３３内に前方から挿入され、コネクタハウジング３３内の可撓係止ランス３４の撓みを防止するフロントスペーサ３５とで構成される。
【０００３】
該スペーサ３５は図１３の如く一方の撓み防止板３６に、コネクタハウジング３３の仮係止突起３７に対する係合爪３８を有し、他方の撓み防止板３９に同じく本係止突起４０に対する係合爪４１を有する。そしてスペーサ３５を図１２の如く仮係止させた状態でコネクタハウジング３３内に治具棒４２を挿入して可撓係止ランス３４を押し下げ、端子３２を抜き取る。これにより一々スペーサ３５を抜き出す手間が省け、抜き出し時のスペーサ３５の破損等も防止される。
【０００４】
【発明が解決しようとする課題】
しかしながら、上記従来の二重係止コネクタ３１にあっては、端子３２の係止解除に際して作業者が治具棒４２を使って盲作業で係止ランス３４を押し下げる操作をしなければならず、作業性が悪という問題があった。また作業者が誤って治具棒４２を端子３２の接触部４３に突き入れてしまうことがあり、端子３２の接触信頼性の低下を招くといった問題もあった。
【０００５】
本発明は、上記した点に鑑み、スペーサを完全に抜き出す手間を省き、しかも治具棒を用いずに端子の係止解除を確実に行うことのできる二重係止コネクタを提供することを目的とする。
【０００６】
【課題を解決するための手段】
上記目的を達成するために、本発明は、端子に対する可撓係止ランスを有するコネクタハウジングと、該可撓係止ランスに対する撓み防止板を有して該コネクタハウジング内に挿入されるスペーサとで構成される二重係止コネクタにおいて、該コネクタハウジングに、スペーサに対する押し上げ用の傾斜面を有する傾斜ガイド部が形成され、該スペーサに、該傾斜ガイド部よりも下側に位置して該傾斜ガイド部に対する傾斜摺接部が形成され、該撓み防止板の先端に、該可撓係止ランスに対する押し下げ用の傾斜面が形成された構造を基本とする。
そして、前記コネクタハウジングの開口縁に、前記スペーサに対する上向き傾斜ガイド面が形成された構造や、コネクタハウジングとスペーサとに、前記傾斜ガイド部と傾斜摺接部とを近接させた位置で仮係止させる仮係止手段が設けられた構造も有効である。
【０００７】
【作用】
スペーサの仮係止状態で傾斜ガイド部と傾斜摺接部とが近接して位置する。この状態からスペーサの後方を押し下げてスペーサを前上がりに傾斜させる。これにより傾斜摺接部が上向きに位置し、傾斜ガイド部と対向する。次いでスペーサを傾斜した状態で傾斜ガイド面に沿って斜めに押し上げることにより、傾斜ガイド部と傾斜摺接部とが摺接しつつ、撓み防止板が斜め上方に前進し、防止板の傾斜面が可撓係止ランスを撓み方向に押し下げる。これにより端子の係止が解除される。
【０００８】
【実施例】
図１〜２は本発明に係る二重係止コネクタの一実施例を示すものである。
この二重係止コネクタ１は両内側壁２，２にデルタ状の一対の傾斜ガイド突部３，３を有する合成樹脂製のコネクタハウジング４と、該傾斜ガイド突部３，３に対する一対の傾斜摺接部５，５を両外側壁６，６に有する合成樹脂製のフロントスペーサ７とで構成される。
【０００９】
該傾斜ガイド突部３はコネクタハウジング４の開口８に臨むスペーサ押し上げ用の上向き傾斜面３ａを有する。またスペーサ側の傾斜摺接突部５は、該傾斜ガイド突部３の上向き傾斜面３ａに対する下向き傾斜面５ａを有する。該傾斜摺接突部５はスペーサ７の外側壁６の中央にスペーサ挿入方向に向けて水平に形成され、下向き傾斜面５ａはスペーサ７の枠状部９の前端寄りに位置する。該上向き傾斜面３ａと下向き傾斜面５ａの傾斜角度はほぼ同等に設定される。該傾斜摺接突部５はスペーサ挿入時に傾斜ガイド突部３の下側に近接して位置する。
【００１０】
該スペーサ７には、コネクタハウジング４の端子収容室１０の下側に挿入される撓み防止板１１が複数突設されている。該撓み防止板１１は図６に示す如く端子１２に対するコネクタハウジング４の可撓係止ランス１３の撓み空間１４内に挿入される。該撓み防止板１１の先端には下向きの傾斜面１５ａを有する楔状部１５が形成されている。
【００１１】
本例において端子収容室１０はコネクタハウジング４内に上下二段に形成され、それに対応してスペーサ７に撓み防止板１１が上下二列に形成されている。端子収容部１０ａの周囲にスペーサ挿入空間１６が形成されている。該撓み防止板１１は枠状部９から前方に突設され、該枠状部９の両側壁６，６に前記傾斜摺接突部５，５が形成されている。
【００１２】
また該枠状部９の上部からはコネクタハウジング４内の可撓ロック片１７に対する仮係止突起１８と本係止突起１９とを有するロック板２０が突設されている。該仮係止突起１８はロック板２０の挿入方向前方に位置し、本係止突起１９は仮係止突起１８の後方に位置する。該仮係止突起１８と本係止突起１９との間隔Ｌは図８〜１０で後述する可撓係止ランス１３に対するスペーサ７の前進距離Ｌ1 と同等に設定される。
【００１３】
さらに該スペーサ７の両外側壁６の前端寄りには該傾斜摺接突部５の上方において仮係止用小突起２１が形成され、コネクタハウジング４の両内側壁２には、該小突起２１に対する浅めの係合孔２２が形成されている。該係合孔２２は傾斜ガイド突部３よりも前方に位置する。
【００１４】
またコネクタハウジング４の底壁２３の開口縁には上向きの傾斜ガイド面２４が形成されている。該傾斜ガイド面２４はスペーサ７を斜め上向きに傾斜させるための案内となる。該傾斜ガイド面２４の傾斜角度は前記傾斜ガイド突部３の傾斜面３ａの傾斜角度とほぼ同等に設定される。
【００１５】
図２はスペーサ７をコネクタハウジング４に仮係止させた状態であり、図１で示したスペーサ７の仮係止突起１８はコネクタハウジング４の可撓ロック片１７の爪部１７ａを乗り越え、仮係止用小突起２１が係合孔２２に係合してスペーサ７を仮係止させる。この仮係止力は極めて小さいものである。
【００１６】
この仮係止状態で図３に示す如くスペーサ７の傾斜摺接突部５がコネクタハウジング４の傾斜ガイド突部３の前方下側に近接して位置する。この状態でスペーサ７を矢印イの如く手で斜め下向きに押し下げ、図４の如く枠状部９の底壁２５をハウジング開口８の傾斜ガイド面２４に当接させる。なお、この状態で仮係止用の小突起２１を係合させる第二の係合孔２６を図３の如くコネクタハウジング４の上方に形成しておいてもよい。
【００１７】
次いで図５の如くスペーサ７を傾斜ガイド面２４に沿って斜め上向きに摺動させ、スペーサ７の傾斜摺接突部５の下向き傾斜面５ａをハウジング４の傾斜ガイド突部３の上向き傾斜面３ａに沿って移動させる。この操作により図８〜１０の如くスペーサ７の撓み防止板１１が斜め上方に前進し、該撓み防止板１１の先端の下向き傾斜面１５ａがコネクタハウジング４の可撓係止ランス１３の先端１３ａに摺接して、該係止ランス１３を撓み空間１４内に押し下げる。これにより図１１の如く端子１２が端子収容室１０から後方に抜き出される。
【００１８】
なお図６はスペーサ７をコネクタハウジング４に本係止させた状態を示し、図７は本係止状態からスペーサ７を引き出して仮係止させた状態を示すものである。本係止状態でスペーサ７の撓み防止板１１は係止ランス１３の撓み空間１４内に位置し、仮係止状態で撓み防止板１１は係止ランス１３の撓み空間１４から外れて係止ランス１３の下側前方に近接して位置する。図７の状態から図１０の状態までの撓み防止板１１の前進動作は前記仮係止突起１８と本係止突起１９との間で可撓ロック片１７の爪部１７ａが遊動することで可能となる。
【００１９】
【発明の効果】
以上の如くに、本発明によれば、スペーサを仮係止の状態で傾斜させて押し上げることにより、端子に対する可撓係止ランスの係止を解除させることができる。これにより従来のような治具棒を使わずに、しかもスペーサを抜き外すことなく、簡単且つ確実に端子の係止解除を行うことができる。また治具棒による端子の変形等の不具合も起こらない。
【図面の簡単な説明】
【図１】本発明に係る二重係止コネクタの一実施例を示す分解斜視図である。
【図２】同じくスペーサの仮係止状態を示す斜視図である。
【図３】図２のＡ−Ａ断面図である。
【図４】同じくスペーサを傾斜させた状態の断面図である。
【図５】同じくスペーサを斜めに押し込んだ状態の断面図である。
【図６】スペーサの本係止状態を示す縦断面図である。
【図７】スペーサの仮係止状態における撓み防止板の動きを示す縦断面図である。
【図８】同じくスペーサを傾斜させた状態の縦断面図である。
【図９】スペーサを斜めに押し込んだ状態の縦断面図である。
【図１０】撓み防止板で係止ランスを押し下げた状態の縦断面図である。
【図１１】端子を抜き出す状態の縦断面図である。
【図１２】従来の二重係止コネクタを示す縦断面図である。
【図１３】同じく横断面図である。
【符号の説明】
１            二重係止コネクタ
３            傾斜ガイド部
３ａ          上向き傾斜面
４            コネクタハウジング
５            傾斜摺接部
５ａ，１５ａ  下向き傾斜面
７            スペーサ
１１          撓み防止板
１２          端子
１３          可撓係止ランス
２１          仮係止用小突起
２２          係合孔
２４          傾斜ガイド面
【図１】
0003731758.tif 000002
【図２】
0003731758.tif 000003
【図３】
0003731758.tif 000004
【図４】
0003731758.tif 000005
【図５】
0003731758.tif 000006
【図６】
0003731758.tif 000007
【図７】
0003731758.tif 000008
【図８】
0003731758.tif 000009
【図９】
0003731758.tif 000010
【図１０】
0003731758.tif 000011
【図１１】
0003731758.tif 000012
【図１２】
0003731758.tif 000013
【図１３】
0003731758.tif 000014